(57)【要約】【課題】  重ね蓋を有する箱に関して、閉じる順序を気にすることなく、どちらの側から閉じてもきちんとフラットな状態に閉じることが出来るようにする。【解決手段】  箱本体部とこの箱本体部の開口部に複数方向から折り重ねる蓋部とから成る箱であって、前記複数の蓋部が前記箱本体部に取り付けられる各々の回動部位に於いて、蓋部が重なる方向に移動可能となるような取付手段を設けて成る。複数方向から折り重なる蓋部は重なる方向に余裕があり移動可能であるため、どちらの側の蓋部が下でも他方の側となる蓋部はこの上方に移動することが可能であり、従ってフラットな状態に閉じることが出来る。【選択図】  図１
2007091336.tif 000002
【特許請求の範囲】
【請求項１】
箱本体部と複数方向から折り重ねる蓋部とから成る箱であって、前記複数の蓋部が前記箱本体部に取り付けられる各々の回動部位に於いて、蓋部が重なる方向に移動可能となるような取付手段が設けられていることを特徴とする、重ね蓋を有する箱。
【請求項２】
前記取付手段は、前記蓋部に突設した軸部と、この軸部が遊嵌する前記箱本体部側の、蓋部が重なる方向に長く取った軸孔とから成る、請求項１に記載の重ね蓋を有する箱。
【請求項３】
前記取付手段は、前記箱本体部に突設した軸部と、この軸部が遊嵌する前記蓋部側の、蓋部が重なる方向に長く取った軸孔とから成る、請求項１に記載の重ね蓋を有する箱。
【請求項４】
解放された状態の前記蓋部が、前記箱本体部が置かれる床面に接するように設けられている、請求項１に記載の重ね蓋を有する箱。
【請求項５】
前記箱本体部は上側に開口部を有し、前記蓋部はこの開口部を閉じ得るように設けられており、更にこの閉じられた蓋部の上から被せる合わせ蓋部を備えている、請求項１に記載の重ね蓋を有する箱。
【発明の詳細な説明】
【技術分野】
【０００１】  この発明は重ね蓋を有する箱に係り、特に何れの側の蓋から閉じても重ね蓋がフラットな状態になるようにしたものに関する。
【背景技術】
【０００２】  従来の重ね蓋を有する箱の一例を図９及び図１０を用いて説明する。この箱は上側に開口部のある箱本体部８と、この開口部を両側から覆う重ね蓋としての蓋部９，９０とから成る。箱本体部８は相対する側壁部８０，８０と相対する側壁部８１，８１と底部８２とから成る。前記側壁部８０，８０は側壁部８１，８１よりも外側へ突出しており、各々この突出部分の上部には軸孔８３，８４が設けられている。そして同じ側の軸孔８３，８３には下側となる蓋部９がその両端部に設けた軸部９１，９１を通すようにして回動自在に組み付けられており、また同じ側の軸孔８４，８４には上側となる蓋部９０がその両端部に設けた軸部９２，９２を通すようにして回動自在に組み付けられている。この従来例のように、箱の口をこの口の縁部に設けた蓋を重ね合わせるようにして閉じる重ね蓋を有する箱に於いては、下側となる蓋と上側となる蓋のと役割を明確にしておき、下側となる蓋を先に閉じ上側となる蓋を後から閉じるようにすることによって、この重ね蓋がフラットな状態になるようにしている（従来例を示す図９を参照）。【０００３】  特開２００３−１１８７２４号公報の発明は段ボール箱用仕切板及び仕切部材の発明であり、圧縮荷重に対する補強のための仕切板を入れた段ボール箱の口の一対の内フラップと外フラップとを折り重ねて閉じるようにする際に、両側の内フラップが仕切板の中央部分を残して仕切板に接すると、この仕切板の中央部分と内フラップの上に位置することになる外フラップとの間に内フラップ分の隙間を生じることによって、仕切板が荷重を支えられない、と言う問題を解決すべく、この隙間を埋めるための段差を仕切板に設けた点に特徴を有するものである（図示せず）。
【特許文献１】特開２００３−１１８７２４号公報（図１）
【発明の開示】
【発明が解決しようとする課題】
【０００４】  確かに特開２００３−１１８７２４号公報の仕切板によれば、内フラップを閉じると内フラップの上面と段差を付けた仕切板の最高面（前記中央部分）とが一致し、この上に外フラップを重ねると隙間が出来ることなくピタリと合うようになってはいる。しかしながらこの段ボール箱ではフラップを閉じた時の高さが、外フラップの方が内フラップよりも高く、内フラップの上に外フラップを重ねると言う順序が決まっているため、この順序を逆にして外フラップの上に内フラップを重ねると、内フラップがうまく閉じられず斜めに開いた状態になってしまうと言う問題がある。これは仕切板の問題ではなく内フラップと外フラップの問題である。【０００５】  同様に図９の重ね蓋を有する箱でも、下側となる蓋部９の上に上側となる蓋部９０を閉じないで、上側となる蓋部９０を先に閉じてから下側となる蓋部９を後から閉じるようにすると、後から閉じた蓋部９がフラットにならず斜めに開いた状態になってしまうのである。しかしながら急いでいたり漫然と蓋を閉じたりする場合も多く、このような時に順序を逆にしてしまうと、もう一度蓋を開いて閉じ直しをしなくてはならず面倒であり、手間と時間の大きなロスとなっている（従来例を示す図１０を参照）。【０００６】  従ってこの発明では、閉じる順序を気にすることなく、どちらの側から閉じてもきちんとフラットな状態に閉じることが出来るようにすることを課題とする。
【課題を解決するための手段】
【０００７】  上記課題は箱本体部とこの箱本体部の開口部に複数方向から折り重ねる蓋部とから成る箱であって、前記複数の蓋部が前記箱本体部に取り付けられる各々の回動部位に於いて、蓋部が重なる方向に移動可能となるような取付手段が設けられていることを特徴とする、重ね蓋を有する箱とすることにより達成される。複数方向（例えば２方向）から折り重なる蓋部は重なる方向に余裕があり移動可能であるため、どちらの側の蓋部が下でも他方の側となる蓋部はこの上方に移動することが出来る。従ってフラットな状態に閉じることが可能である。箱本体部や蓋部の素材は任意であって紙でもプラスチックでも金属でも良く特に限定しない。また網のような箱でもこの発明を実現することが可能である。またビニール素材の空気袋で箱本体部や蓋部を構成することが出来る。【０００８】  また蓋部の取付位置は開口部の位置次第であり、蓋部は上蓋、横蓋など箱本体部のどの部位に取り付けられるものであっても良く、また表蓋であったり、中蓋であっても良く、この点にも特に限定はない。２方向の場合、各々相対する側に蓋部が設けられている場合もあれば、隣り合う箇所に蓋部が設けられている場合もある。また３方向４方向が可能であり、箱の口の形状が５角であれば５方向も可能である。このように蓋部の数は２以上であれば特に限定はない。また蓋部の重なりが美感を催すような箱部のデザインを行なうことも好ましい。【０００９】  さて請求項１に記載の重ね蓋を有する箱に於いて前記取付手段が、前記蓋部に突設した軸部と、この軸部が遊嵌する前記箱本体部側の、蓋部が重なる方向に長く取った軸孔とから成るものとすることが出来る。この構成によれば蓋部に突設した軸部が箱本体部側の軸孔の中を移動可能であることにより、蓋部はこの蓋部が重なる方向に移動可能であって、何れの側の蓋部が下となっても両側の蓋部は共にフラットな状態で閉じることが出来るのである。【００１０】  また請求項１に記載の重ね蓋を有する箱に於いて前記取付手段が、前記箱本体部に突設した軸部と、この軸部が遊嵌する前記蓋部側の、蓋部が重なる方向に長く取った軸孔と、から成るものとすることが出来る。この構成によれば軸部が軸孔の中を移動可能であり、相対的にこの軸孔を有する蓋部が、蓋部が重なる方向に移動可能となるため、どちらの側の蓋部が上となっても下となっても無理なくフラットな状態に閉じることが出来る。【００１１】  また請求項１に記載の重ね蓋を有する箱に於いて解放された状態の前記蓋部が、前記箱本体部が置かれる床面に接するように設けられているものとすることが出来る。従ってこの蓋部を安定したトレイとして利用するなどが可能である。【００１２】  また請求項１に記載の重ね蓋を有する箱に於いて前記箱本体部は上側に開口部を有し、前記蓋部はこの開口部を閉じ得るように設けられており、更にこの閉じられた蓋部の上から被せる合わせ蓋部を備えているものとすることが出来る。この合わせ蓋部の形状は三角屋根形、ドーム形など任意であり、両側の蓋部がフラットな状態で閉じられるため、この上に安定的に被せることが出来るのである。
【発明の効果】
【００１３】  この発明では蓋部が重なる方向に移動可能となるような取付手段を設けたことにより、蓋部は重なる方向に互いに避け合うことが出来るようになり、この結果閉じた時に蓋部がフラットになると言う効果を奏する。従来は閉じる順序が定まっていたが、この発明ではどちらの側から閉じてもきちんとフラットに閉じることが出来るようになっており、閉じ直す面倒がない。
【発明を実施するための最良の形態】
【００１４】  以下ではこの発明の幾つかの実施形態を図面に基づいて説明するが、この発明はこれ等の実施形態に限定されるものではなく、この発明の思想の範囲内に於いて自由に改変することが可能である。【００１５】  （第１実施形態）
図１乃至図４はこの発明の第１実施形態を表わすが、このものは上側に開口部のある箱本体部１と、この開口部を両側から覆う重ね蓋としての蓋部２，２０とから成り、箱本体部１は底部１２と相対する側壁部１０，１０及び相対する側壁部１１，１１とから成る。前記側壁部１０，１０は軸受けを設けるために側壁部１１，１１よりも外側へ突出させており、各々この突出部分の上部には縦長の長軸孔１３，１４が設けられており、同じ側の長軸孔１３，１３には蓋部２がその両端部に設けた軸部２１，２１を通すようにして回動自在に組み付けられており、また長軸孔１４，１４には蓋部２０がその両端部に設けた軸部２２，２２を通すようにして回動自在に組み付けられて成る。【００１６】  蓋部２の軸部２１，２１が箱本体部１の縦長の長軸孔１３，１３に組み付けられていることにより、蓋部２は長軸孔１３の長さ分だけ縦方向（上下方向）へ移動することが出来るようになっている。またこのことは蓋部２０に付いても同様である。従って図３で示すように蓋部２が下側となり蓋部２０が上側となるように閉じることも（図３）、逆に蓋部２０が下側となり蓋部２が上側となるように閉じることも（図４）、軸部２１，２２が上下方向へ移動可能であることによって実現され、しかもフラットに閉じることが出来るのである。これは正に画期的であり、蓋部２，２０の何れの側から閉じても良く、従来のように順序を逆にしてもう一度蓋を開いて閉じ直しをするような、手間と時間のロスを無くすことが出来ると言う格別の効果がある。【００１７】  なお蓋部２，２０はＬ字形状を呈しており、開いた状態では蓋部２，２０は各々この箱が置かれた面上に着くように構成されている。従って開いた状態では蓋部２，２０に荷重を与えても安定している。しかしながら開いた状態の蓋部２，２０を浮くように構成しても良いのは言うまでもない。【００１８】  （第２実施形態）
図５は、上述した第１実施形態の箱本体部１の蓋部２，２０を閉じた上に、合わせ蓋３が被冠されている状態を表わす。この合わせ蓋３の内側の天部が上側となっている蓋部に付くまで下げることが出来る。【００１９】  このような合わせ蓋３で閉じられた蓋部２，２０を覆うことによって、蓋部２，２０が閉じた状態を固定することが出来、蓋部２，２０を隠すことが可能であり、更に意匠的にも興趣を催させるものとなる。【００２０】  （第３実施形態）
次に、上述の第１実施形態では蓋部２側の軸部２１に箱本体部１側の長軸孔１３を組み合わせるようにしている。また蓋部２０側の軸部２２に箱本体部１側の長軸孔１４を組み合わせるようにしている。これに対し第３実施形態では箱本体部１側に軸部４を突設し、この軸部４を蓋部５側に設けた縦長の長軸受け溝５０に組み付けるようにして成る。なお図示しないもう一方の蓋部側にも同様の長軸受け溝が設けられて成る。【００２１】  軸部４が長軸受け溝５０に組み付けられていることによって、蓋部５は長軸受け溝５０の長さ分だけ縦方向（上下方向）へ移動することが出来るようになっている。またこのことはもう一方の蓋部側に付いても同様である。従って何れの側の蓋部が下側となり、また上側となったとしても、軸部が上下方向へ移動可能であることによってフラットに閉じることが出来るのである。【００２２】  （第４実施形態）
さて図７及び図８はこの発明の第４実施形態を表わすが、このものは上側に開口部のある箱本体部６と、この開口部を４方向から覆う重ね蓋としての蓋部７，７０，７３，７４とから成る箱の例である。箱本体部６は底部６２と相対する側壁部６０，６０及び相対する側壁部６１，６１とから成る。側壁部６０，６０は軸受けを設けるために側壁部６１，６１よりも外側へ突出させており、各々この突出部分の上部には縦長の長軸孔６５，６６が設けられており、同じ側の長軸孔６５，６５には蓋部７３が、その両端部に設けた軸部７５，７５を通すようにして回動自在に組み付けられており、また長軸孔６６，６６には蓋部７４が、その両端部に設けた軸部７６，７６を通すようにして回動自在に組み付けられている。また側壁部６１，６１は軸受けを設けるために側壁部６０，６０よりも外側へ突出させており、各々この突出部の上部には縦長の長軸孔６３，６４が設けられており、同じ側の長軸孔６３，６３には蓋部７が、その両端部に設けた軸部７１，７１を通すようにして回動自在に組み付けられており、また長軸孔６４，６４には蓋部７０が、その両端部に設けた軸部７２，７２を通すようにして回動自在に組み付けられている。【００２３】  この実施形態は４つの蓋部７，７０，７３，７４を備えている点に特徴を有する。蓋部７の軸部７１，７１が箱本体部６の縦長の長軸孔６３，６３に組み付けられていることにより、蓋部７は長軸孔６３の長さ分だけ縦方向（上下方向）へ移動することが出来るようになっている。またこのことは蓋部７０，７３，７４に付いても同様である。従って何れの蓋部も下側となるように或いは上側となるように閉じることが可能である。この一例を図８の模式図で示すが、ここでは下から順に蓋部７３，７４，７，７０と閉じたものとしている。このように４つの蓋部７，７０，７３，７４を重ねてもフラットに閉じることが出来るのである。なお更に上述した第２実施形態の合わせ蓋３等を蓋部７，７０，７３，７４を閉じた上に被せるようにしても良い。これにより蓋部７，７０，７３，７４の重なりなどを隠して箱を飾ることが出来る。【００２４】  （その他）
この他、上述した第３実施形態では長軸受け溝５０の代わりに長軸孔とする構成も可能である。またこのような長軸孔や長軸受け溝の形状は必ずしも図示したような縦長のものでなくてもよく、例えば同様の縦寸法を有する円形等とすることが出来る。また長軸孔と軸部とを直接的に組み付けるのではなく、例えば両者間にリンクを介在させるなどの設計が可能である。リンクにはゴムやバネなどのように伸縮機能が備わったものを利用するようにしても良い。また軸部そのものがゴム製であり、軸孔から外れることなく伸縮湾曲するなどしてその軸位置を変えることが出来るようなものも採用可能である。【００２５】  なお箱の形状は方体に限定されない。蓋部は湾曲したものであってもうまく重なることが出来るものであれば良い。上述した実施形態では図示の都合上、蓋部を厚く描いているが、この厚さに付いても任意である。また例えば上述した第４実施形態のように３以上の蓋部を備えたものとすることが出来るが、例えば開口部が上側と手前側との２ヵ所にある場合では、上側の開口部に２つ、手前側の開口部に２つ、と言うような構成を採ることが可能である。また上側の開口部と手前側の開口部とを同時に覆い得るＬ字形状の複数個の蓋にこの発明を適用することさえ可能である。
【産業上の利用可能性】
【００２６】  この発明の重ね蓋を有する箱は、おもちゃ箱や菓子容器やシガレットケースなどの包装箱等、どのような用途の箱をも構成することが可能である。図１では蓋部２，２０に円形の模様が入れられているが、おもちゃのピース（アルファベットや数字や野菜などの具象体を型取ったもの）をこの模様の中に入れて遊ぶことが出来るような知育玩具としたり、この円形の模様を溝にすることにより、蓋部２，２０をパレットとしてこの溝に水性絵具を溶かし入れたりする用途も可能である。また開いた蓋部をミニテーブルとして使えるように構成することも出来る。
【図面の簡単な説明】
【００２７】
【図１】  この発明の第１実施形態の平面図である。
【図２】  同実施形態の側面図である。
【図３】  同実施形態の使用状態を示す説明図である。
【図４】  同実施形態の使用状態を示す説明図である。
【図５】  この発明の第２実施形態の断面図である。
【図６】  この発明の第３実施形態の説明図である。
【図７】  この発明の第４実施形態の平面図である。
【図８】  同実施形態の使用状態を示す模式図である。
【図９】  従来例の説明図である。
【図１０】  従来例の説明図である。
【符号の説明】
【００２８】  １    箱本体部
１０  側壁部
１１  側壁部
１２  底部
１３  長軸孔
１４  長軸孔
２    蓋部
２０  蓋部
２１  軸部
２２  軸部
３    合わせ蓋
４    軸部
５    蓋部
５０  長軸受け溝
６    箱本体部
６０  側壁部
６１  側壁部
６２  底部
６３  長軸孔
６４  長軸孔
６５  長軸孔
６６  長軸孔
７    蓋部
７０  蓋部
７１  軸部
７２  軸部
７３  蓋部
７４  蓋部
７５  軸部
７６  軸部
【図１】
2007091336.tif 000003
【図２】
2007091336.tif 000004
【図３】
2007091336.tif 000005
【図４】
2007091336.tif 000006
【図５】
2007091336.tif 000007
【図６】
2007091336.tif 000008
【図７】
2007091336.tif 000009
【図８】
2007091336.tif 000010
【図９】
2007091336.tif 000011
【図１０】
2007091336.tif 000012